(57)【要約】【課題】本発明はばね式浴室おもちゃを開示した。【解決手段】外殻を含み、前記外殻の中に五つの浮力を高める空洞が設置されており、前記外殻の中に蓄力用の撥条巻き部品が設置されており、前記撥条巻き部品が空洞Ｂと空洞Ｃを含み、前記空洞Ｃの右壁にスリーブを回転できるように取り付け、前記スリーブの左端面には空洞Ｂに入る回転軸Ａが設置されており、前記空洞Ｂの左側壁に回転軸Ｂが回転できるように設置されており、前記回転軸Ｂと回転軸Ａの間がホイールを通じてラチェットによって係合され、前記外殻の中に前記外殻の重心を平衡させる団鉱が設置されている。【選択図】図１
2020157022.tif 000002
【特許請求の範囲】
【請求項１】
外殻を含み、前記外殻の中に五つの浮力を高める空洞が設置されており、前記外殻の中に蓄力用の撥条巻き部品が設置されており、前記撥条巻き部品が空洞Ｂと空洞Ｃを含み、前記空洞Ｃの右壁にスリーブを回転できるように取り付け、前記スリーブの左端面には空洞Ｂに入る回転軸Ａが設置されており、前記空洞Ｂの左側壁に回転軸Ｂが回転できるように設置されており、前記回転軸Ｂと回転軸Ａの間がホイールを通じてラチェットによって係合され、前記外殻の中に前記外殻の重心を平衡させる団鉱が設置されており、前記外殻の中に空洞Ａが設置されており、前記空洞Ａと空洞Ｂの間に前記回転軸Ａの回転トルクを伝達する伝動部品が設置されており、前記空洞Ａの左右両側に対称的な揺動部品が設置されており、前記揺動部品は回転盤Ａとスライドロッドを含み、前記回転盤Ａの端面にはヒンジピンが設置されており、前記スライドロッドと前記ヒンジピンの間が連結棒によって連結されており、前記スライドロッドの端部の多関節揺動棒は、前記回転盤Ａとスライドロッドを使って前記伝動部品によって伝達されるトルクを前記揺動棒の往復揺動に転化し、前記外殻を水面にスライドさせ、前記空洞Ｂの中に前記伝送部品の伝達速度をコントロールするスピードコントロール部品が設置されていることを特徴とするばね式浴室おもちゃ。
【請求項２】
前記撥条巻き部品は前記スリーブとスプラインによって係合される鍵を含み、前記空洞Ｃの右側壁には固定ピンが固定的に設置されており、前記固定ピンと前記回転軸Ａの間に鉄テープが設置されており、前記外殻の中には上方に開口したスロットが設置されており、前記スロットには摺動スリーブがスライドできるように設置されており、前記スロットの底壁に磁石Ａが設置されており、前記摺動スリーブの中には上方に開口したスプライン孔が設置されており、前記スプライン孔の底壁に磁石Ｂが設置されており、前記磁石Ｂが前記鍵と磁力によって係合され、前記鍵が前記スプライン孔とスプラインにより係合され、前記空洞Ｂの頂壁の中に固定ブロック空洞を連設し、前記固定ブロック空洞には固定ブロックが弾力によって係合され、前記固定ブロックが前記ラチェットスリーブと噛み合うことができ、前記摺動スリーブと固定ブロックの間がギヤで連動されており、鍵をスリーブの中に差し込んで撥条巻き、ブロックと爪車とがきつく噛み合って回転軸Ａをきつく固定して反転できないようにし、鍵をスプライン孔に差し込み、下へ推し、ギヤを回転連動させ、ギヤはブロックを上に移動連動させることを特徴とする請求項１に記載のばね式浴室おもちゃ。
【請求項３】
前記伝送部品は前記回転軸Ｂに固定的に設置されるプーリを含み、前記空洞Ａの左右壁の間にプーリ軸と回転軸Ｃが回転できるように設置されており、前記プーリ軸と前記回転盤Ｂの間が伝動できるように接続され、前記プーリ軸には二つの大ギヤが設置されており、前記回転軸Ｃに二つの小ギヤが設置されており、前記小ギヤが大ギヤと噛み合い、前記大ギヤの歯数は小ギヤの歯数の五倍であり、回転軸Ｂが回転してプーリ軸と大ギヤを回転連動させ、大ギヤが噛合によって小歯車と回転軸Ｃとを回転連動させることを特徴とする請求項１に記載のばね式浴室おもちゃ。
【請求項４】
前記揺動部品は左右対称の空洞Ｄが含み、前記回転軸Ｃは前記空洞Ｄの中に入り、前記回転盤Ａは前記回転軸Ｃの端面にあり、前記外殻の左右端面に対称の揺動空洞が設置されており、前記揺動空洞と前記空洞Ｄの間にシュートが連結設置されており、前記スライドロッドはシュートに設置されており、前記スライドロッドの上にシーリングプレートが設置されており、前記シーリングプレートが前記揺動空洞の内壁とスライドできるように係合され、前記揺動棒の端部には板Ａが接続され、前記板Ａが前記板Ｂとヒンジで接続され、前記板Ａには位置制限ブロックＡと位置制限ブロックＢが設置されており、前記揺動棒が前記揺動空洞の上下壁とヒンジで接続されている；回転軸Ｃが回転盤Ａとピン軸とを回転連動させ、連結棒によって板Ａと板Ｂを揺動連動させ、揺動棒が上に向く時、板Ｂが位置制限ブロックＢのところに翻転し、水をはじいて推力が発生し、揺動棒が下に向く時板体Ｂが位置制限ブロックＡのところに翻転することを特徴とする請求項１に記載のばね式浴室おもちゃ。
【請求項５】
前記スピードコントロール部品は空洞Ｂの右側壁に回転できるように設置される擒縦部品Ａと擒縦部品Ｂを含み、前記回転軸Ｂに回転盤Ｂが設置されており、前記回転盤Ｂの左端面には均一に分布した五つの円形ピンが設置されており、前記擒縦部品Ａと前記空洞Ｂの間に撥条Ａが設置されており、前記擒縦部品Ｂと前記空洞Ｂの間に撥条が設置されており、回転軸Ｂが回転盤Ｂを回転連動させる時、円形ピンが擒縦部品Ａを回転連動させ、円形ピンと擒縦部品Ａとが離脱した後、擒縦部品Ｂが円形ピンを引っ掛からせ、擒縦部品Ａが復帰し、擒縦部品Ｂを突き上げ、回転盤Ｂが回転し続くことを特徴とする請求項１に記載のばね式浴室おもちゃ。
【発明の詳細な説明】
【技術分野】
【０００１】
本発明は浴室のおもちゃ生産分野を取り上げて、具体的にはばね式浴室おもちゃである。
【背景技術】
【０００２】
子供たちが風呂に入るとき、室のおもちゃを使って、注意をそらして入浴するのを助けることができます、入浴中使う水に浮かぶおもちゃはほとんど膨張ゴム製のおもちゃです、面白みが足りない、しばらくの注目を集めることしかできない、親が子供の入浴を手助けするには不十分です。
【先行技術文献】
【特許文献】
【０００３】
【特許文献１】中国特許出願公開第１０５２６８１９３号明細書
【発明の概要】
【発明が解決しようとする課題】
【０００４】
本発明の目的はばね式浴室おもちゃを提供し、従来技術における上述の欠点を克服するために使われた。
【課題を解決するための手段】
【０００５】
本発明に基づきの実施したばね式浴室おもちゃは、外殻を含み、前記外殻の中に五つの浮力を高める空洞が設置されており、前記外殻の中に蓄力用の撥条巻き部品が設置されており、前記撥条巻き部品が空洞Ｂと空洞Ｃを含み、前記空洞Ｃの右壁にスリーブを回転できるように取り付け、前記スリーブの左端面には空洞Ｂに入る回転軸Ａが設置されており、前記空洞Ｂの左側壁に回転軸Ｂが回転できるように設置されており、前記回転軸Ｂと回転軸Ａの間がホイールを通じてラチェットによって係合され、前記外殻の中に前記外殻の重心を平衡させる団鉱が設置されており、前記外殻の中に空洞Ａが設置されており、前記空洞Ａと空洞Ｂの間に前記回転軸Ａの回転トルクを伝達する伝動部品が設置されており、前記空洞Ａの左右両側に対称的な揺動部品が設置されており、前記揺動部品は回転盤Ａとスライドロッドを含み、前記回転盤Ａの端面にはヒンジピンが設置されており、前記スライドロッドと前記ヒンジピンの間が連結棒によって連結されており、前記スライドロッドの端部の多関節揺動棒は、前記回転盤Ａとスライドロッドを使って前記伝動部品によって伝達されるトルクを前記揺動棒の往復揺動に転化し、前記外殻を水面にスライドさせ、前記空洞Ｂの中に前記伝送部品の伝達速度をコントロールするスピードコントロール部品が設置されている。
【０００６】
更なる技術方案、前記撥条巻き部品は前記スリーブとスプラインによって係合される鍵を含み、前記空洞Ｃの右側壁には固定ピンが固定的に設置されており、前記固定ピンと前記回転軸Ａの間に鉄テープが設置されており、前記外殻の中には上方に開口したスロットが設置されており、前記スロットには摺動スリーブがスライドできるように設置されており、前記スロットの底壁に磁石Ａが設置されており、前記摺動スリーブの中には上方に開口したスプライン孔が設置されており、前記スプライン孔の底壁に磁石Ｂが設置されており、前記磁石Ｂが前記鍵と磁力によって係合され、前記鍵が前記スプライン孔とスプラインにより係合され、前記空洞Ｂの頂壁の中に固定ブロック空洞を連設し、前記固定ブロック空洞には固定ブロックが弾力によって係合され、前記固定ブロックが前記ラチェットスリーブと噛み合うことができ、前記摺動スリーブと固定ブロックの間がギヤで連動されている。
【０００７】
更なる技術方案、前記伝送部品は前記回転軸Ｂに固定的に設置されるプーリを含み、前記空洞Ａの左右壁の間にプーリ軸と回転軸Ｃが回転できるように設置されており、前記プーリ軸と前記回転盤Ｂの間が伝動できるように接続され、前記プーリ軸には二つの大ギヤが設置されており、前記回転軸Ｃに二つの小ギヤが設置されており、前記小ギヤが大ギヤと噛み合い、前記大ギヤの歯数は小ギヤの歯数の五倍である。
【０００８】
更なる技術方案、前記揺動部品は左右対称の空洞Ｄが含み、前記回転軸Ｃは前記空洞Ｄの中に入り、前記回転盤Ａは前記回転軸Ｃの端面にあり、前記外殻の左右端面に対称の揺動空洞が設置されており、前記揺動空洞と前記空洞Ｄの間にシュートが連結設置されており、前記スライドロッドはシュートに設置されており、前記スライドロッドの上にシーリングプレートが設置されており、前記シーリングプレートが前記揺動空洞の内壁とスライドできるように係合され、前記揺動棒の端部には板Ａが接続され、前記板Ａが前記板Ｂとヒンジで接続され、前記板Ａには位置制限ブロックＡと位置制限ブロックＢが設置されており、前記揺動棒が前記揺動空洞の上下壁とヒンジで接続されている。
【０００９】
更なる技術方案、前記スピードコントロール部品は空洞Ｂの右側壁に回転できるように設置される擒縦部品Ａと擒縦部品Ｂを含み、前記回転軸Ｂに回転盤Ｂが設置されており、前記回転盤Ｂの左端面には均一に分布した五つの円形ピンが設置されており、前記擒縦部品Ａと前記空洞Ｂの間に撥条Ａが設置されており、前記擒縦部品Ｂと前記空洞Ｂの間に撥条が設置されている。
【発明の効果】
【００１０】
本発明の有益な効果は下記の通りである：
【００１１】
ポテンシャルエネルギーを蓄えると解放することができる、揺動パーツは鉄テープ３７の蓄えたポテンシャルエネルギーを揺動棒３４が揺動する動力に転換することができる、揺動棒３４の止まらず揺動は外殻１０を水面に移動させる、スピードコントロール部品９０４は鉄テープ３７の整復速度をコントロールでき、一回だけばねを巻くと、しばらく遊べる、面白みたくさん、広がる価値ある。
【図面の簡単な説明】
【００１２】
【図１】図１は本発明の全体構成模式図である；
【図２】図２は図１のＡ−Ａ方向の断面構成模式図である；
【図３】図３は図１のＢ−Ｂ方向の断面構成模式図である；
【図４】図４は図１のＣの拡大構成模式図である；
【図５】図５は図１のＤの拡大構成模式図である；
【図６】図６は図１のＥの拡大構成模式図である。
【発明を実施するための形態】
【００１３】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−６が示すように、本発明のばね式浴室おもちゃは、外殻１０を含み、前記外殻１０の中に五つの浮力を高める空洞が設置されており、前記外殻１０の中に蓄力用の撥条巻き部品９０１が設置されており、前記撥条巻き部品９０１が空洞Ｂ２１と空洞Ｃ１８を含み、前記空洞Ｃ１８の右壁にスリーブ１７を回転できるように取り付け、前記スリーブ１７の左端面には空洞Ｂ２１に入る回転軸Ａ２５が設置されており、前記空洞Ｂ２１の左側壁に回転軸Ｂ１９が回転できるように設置されており、前記回転軸Ｂ１９と回転軸Ａ２５の間がホイール２３を通じてラチェットによって係合され、前記外殻１０の中に前記外殻１０の重心を平衡させる団鉱１１が設置されており、前記外殻１０の中に空洞Ａ２６が設置されており、前記空洞Ａ２６と空洞Ｂ２１の間に前記回転軸Ａ２５の回転トルクを伝達する伝動部品９０２が設置されており、前記空洞Ａ２６の左右両側に対称的な揺動部品９０３が設置されており、前記揺動部品９０３は回転盤Ａ５２とスライドロッド５６を含み、前記回転盤Ａ５２の端面にはヒンジピン５４が設置されており、前記スライドロッド５６と前記ヒンジピン５４の間が連結棒５５によって連結されており、前記スライドロッド５６の端部の多関節揺動棒３４は、前記回転盤Ａ５２とスライドロッド５６を使って前記伝動部品９０２によって伝達されるトルクを前記揺動棒３４の往復揺動３４に転化し、前記外殻１０を水面にスライドさせ、前記空洞Ｂ２１の中に前記伝送部品９０２の伝達速度をコントロールするスピードコントロール部品９０４が設置されている。
【００１５】
有益なまた例を示すように、前記撥条巻き部品９０１は前記スリーブ１７とスプラインによって係合される鍵１６を含み、前記空洞Ｃ１８の右側壁には固定ピン２０が固定的に設置されており、前記固定ピン２０と前記回転軸Ａ２５の間に鉄テープ３７が設置されており、前記外殻１０の中には上方に開口したスロット６０が設置されており、前記スロット６０には摺動スリーブ１５がスライドできるように設置されており、前記スロット６０の底壁に磁石Ａ６１が設置されており、前記摺動スリーブ１５の中には上方に開口したスプライン孔１４が設置されており、前記スプライン孔１４の底壁に磁石Ｂ４５が設置されており、前記磁石Ｂ４５が前記鍵１６と磁力によって係合され、前記鍵１６が前記スプライン孔１４とスプラインにより係合され、前記空洞Ｂ２１の頂壁の中に固定ブロック空洞４８を連設し、前記固定ブロック空洞４８には固定ブロック４７が弾力によって係合され、前記固定ブロック４７が前記ラチェットスリーブ２４と噛み合うことができ、前記摺動スリーブ１５と固定ブロック４７の間がギヤ４６で連動されており、鍵１６をスリーブ１７の中に差し込んで撥条巻き、ブロック４７と爪車２４とがきつく噛み合って回転軸Ａ２５をきつく固定して反転できないようにし、鍵１６をスプライン孔１４に差し込み、下へ推し、ギヤ４６を回転連動させ、ギヤ４６はブロック４７を上に移動連動させる。
【００１６】
有益なまた例を示すように、前記伝送部品９０２は前記回転軸Ｂ１９に固定的に設置されるプーリ２３を含み、前記空洞Ａ２６の左右壁の間にプーリ軸２８と回転軸Ｃ３２が回転できるように設置されており、前記プーリ軸２８と前記回転盤Ｂ２２の間が伝動できるように接続され、前記プーリ軸２８には二つの大ギヤ２７が設置されており、前記回転軸Ｃ３２に二つの小ギヤ３１が設置されており、前記小ギヤ３１が大ギヤ２７と噛み合い、前記大ギヤ２７の歯数は小ギヤ３１の歯数の五倍であり、回転軸Ｂ１９が回転してプーリ２３軸２８と大ギヤ２７を回転連動させ、大ギヤ２７が噛合によって小歯車３１と回転軸Ｃ３２とを回転連動させる。
【００１７】
有益なまた例を示すように、前記揺動部品９０３は左右対称の空洞Ｄ５３が含み、前記回転軸Ｃ３２は前記空洞Ｄ５３の中に入り、前記回転盤Ａ５２は前記回転軸Ｃ３２の端面にあり、前記外殻１０の左右端面に対称の揺動空洞３３が設置されており、前記揺動空洞３３と前記空洞Ｄ５３の間にシュート５８が連結設置されており、前記スライドロッド５６はシュート５８に設置されており、前記スライドロッド５６の上にシーリングプレート５７が設置されており、前記シーリングプレート５７が前記揺動空洞３３の内壁とスライドできるように係合され、前記揺動棒３４の端部には板Ａ３５が接続され、前記板Ａ３５が前記板Ｂ３６とヒンジで接続され、前記板Ａ３５には位置制限ブロックＡ５０と位置制限ブロックＢ５１が設置されており、前記揺動棒３４が前記揺動空洞３３の上下壁とヒンジで接続されている；回転軸Ｃ３２が回転盤Ａ５２とピン軸５４とを回転連動させ、連結棒５５によって板Ａ３５と板Ｂ３６を揺動連動させ、揺動棒３４が上に向く時、板Ｂ３６が位置制限ブロックＢ５１のところに翻転し、水をはじいて推力が発生し、揺動棒３４が下に向く時板体Ｂ３６が位置制限ブロックＡ５０のところに翻転し、水流の妨害力を減少させ、外殻１０を移動連動させる。
【００１８】
有益なまた例を示すように、前記スピードコントロール部品９０４は空洞Ｂ２１の右側壁に回転できるように設置される擒縦部品Ａ４０と擒縦部品Ｂ４２を含み、前記回転軸Ｂ１９に回転盤Ｂ２２が設置されており、前記回転盤Ｂ２２の左端面には均一に分布した五つの円形ピン３８が設置されており、前記擒縦部品Ａ４０と前記空洞Ｂ２１の間に撥条Ａ４１が設置されており、前記擒縦部品Ｂ４２と前記空洞Ｂ２１の間に撥条が設置されており、回転軸Ｂ１９が回転盤Ｂ２２を回転連動させる時、円形ピン３８が擒縦部品Ａ４０を回転連動させ、円形ピン３８と擒縦部品Ａ４０とが離脱した後、擒縦部品Ｂ４２が円形ピン３８を引っ掛からせ、擒縦部品Ａ４０が復帰し、擒縦部品Ｂ４２を突き上げ、回転盤Ｂ２２が回転し続く。
【００１９】
使用するときに、鍵１６をスリーブ１７の中に差し込み、鍵１６を回して回転軸Ａ２５を回転連動させ、撥条を巻き始め、固定ブロック４７とラチェットスリーブ２４が噛み合って回転軸Ａ２５を反転できないように固定し、鍵１６をスプライン穴１４の中に差し込み下へ推し、磁石Ｂ４５が鍵１６を吸い寄せ、磁石Ａ６１が摺動スリーブ１５を吸い寄せ、摺動スリーブ１５が噛み合いでギヤ４６を回転連動させ、ギヤ４６が噛み合いで固定ブロック４７を上へ移動連動させ、ラチェットスリーブ２４が&#38081;テープ３７の作用で回転し、回転軸Ｂ１９が回転盤Ｂ２２と、プーリ軸２８と大ギヤ２７とを回転連動させ、円形ピン３８が擒縦部品Ａ４０を動かして回転させ、円形ピン３８が擒縦部品Ａ４０から離脱した後、擒縦部品Ｂ４２が撥条Ｂ４３の作用で円形ピン３８を固定し、撥条Ａ４１が擒縦部品Ａ４０を復元させ、擒縦部品Ｂ４２を突き上げ、回転盤Ｂ２２が回転し続き、大ギヤ２７が噛合で小ギヤ３１と回転軸Ｃ３２を回転連動させ、回転盤Ａ５２とヒンジピン５４を回転連動させ、連結棒５５でスライドロッド５６を上下に移動連動させ、スライドロッド５６が揺動棒３４を揺動連動させ、揺動棒３４が板Ａ３５と板Ｂ３６を揺動連動させ、揺動棒３４が上に向くとき、板Ｂ３６が位置制限ブロックＢ５１のところに回転し、水を掻き動かし、推力を発生させ、揺動棒３４が下に向く時に板Ｂ３６が位置制限ブロックＡ５０のところに回転し、水流の抵抗力を減少させ、外殻１０を移動連動させる。
【００２０】
本発明は：鍵によって力を蓄えることとポテンシャルエネルギーを解放することができ、揺動部品が鉄テープの蓄えたポテンシャルエネルギーを揺動棒の揺動する動力に転換することができ、揺動棒の止まらぬ揺動によって外殻を水中に移動連動させることができ、スピードコントロール部品によって鉄テープ３７の復帰速度をコントロールでき、一回だけ撥条を巻くと、しばらく遊べ、面白みがたくさんあり、宣伝価値がある。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157022.tif 000003
【図２】
2020157022.tif 000004
【図３】
2020157022.tif 000005
【図４】
2020157022.tif 000006
【図５】
2020157022.tif 000007
【図６】
2020157022.tif 000008
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
外殻を含み、前記外殻の中に五つの浮力を高める空洞が設置されており、前記外殻の中に蓄力用の撥条巻き部品が設置されており、前記撥条巻き部品が空洞Ｂと空洞Ｃを含み、前記空洞Ｃの右壁にスリーブを回転できるように取り付け、前記スリーブの左端面には空洞Ｂに入る回転軸Ａが設置されており、前記空洞Ｂの左側壁に回転軸Ｂが回転できるように設置されており、前記回転軸Ｂと回転軸Ａの間がホイールを通じてラチェットによって係合され、前記外殻の中に前記外殻の重心を平衡させる団鉱が設置されており、前記外殻の中に空洞Ａが設置されており、前記空洞Ａと空洞Ｂの間に前記回転軸Ａの回転トルクを伝達する伝動部品が設置されており、前記空洞Ａの左右両側に対称的な揺動部品が設置されており、前記揺動部品は回転盤Ａとスライドロッドを含み、前記回転盤Ａの端面にはヒンジピンが設置されており、前記スライドロッドと前記ヒンジピンの間が連結棒によって連結されており、前記スライドロッドの端部の多関節揺動棒は、前記回転盤Ａとスライドロッドを使って前記伝動部品によって伝達されるトルクを前記揺動棒の往復揺動に転化し、前記外殻を水面にスライドさせ、前記空洞Ｂの中に前記伝動部品の伝達速度をコントロールするスピードコントロール部品が設置されていることを特徴とするばね式浴室おもちゃ。
【請求項２】
前記撥条巻き部品は前記スリーブとスプラインによって係合される鍵を含み、前記空洞Ｃの右側壁には固定ピンが固定的に設置されており、前記固定ピンと前記回転軸Ａの間に鉄テープが設置されており、前記外殻の中には上方に開口したスロットが設置されており、前記スロットには摺動スリーブがスライドできるように設置されており、前記スロットの底壁に磁石Ａが設置されており、前記摺動スリーブの中には上方に開口したスプライン孔が設置されており、前記スプライン孔の底壁に磁石Ｂが設置されており、前記磁石Ｂが前記鍵と磁力によって係合され、前記鍵が前記スプライン孔とスプラインにより係合され、前記空洞Ｂの頂壁の中に固定ブロック空洞を連設し、前記固定ブロック空洞には固定ブロックが弾力によって係合され、前記固定ブロックがラチェットスリーブと噛み合うことができ、前記摺動スリーブと固定ブロックの間がギヤで連動されており、鍵をスリーブの中に差し込んで撥条巻き、ブロックと爪車とがきつく噛み合って回転軸Ａをきつく固定して反転できないようにし、鍵をスプライン孔に差し込み、下へ推し、ギヤを回転連動させ、ギヤはブロックを上に移動連動させることを特徴とする請求項１に記載のばね式浴室おもちゃ。
【請求項３】
前記伝動部品は前記回転軸Ｂに固定的に設置されるプーリを含み、前記空洞Ａの左右壁の間にプーリ軸と回転軸Ｃが回転できるように設置されており、前記プーリ軸と回転盤Ｂの間が伝動できるように接続され、前記プーリ軸には二つの大ギヤが設置されており、前記回転軸Ｃに二つの小ギヤが設置されており、前記小ギヤが大ギヤと噛み合い、前記大ギヤの歯数は小ギヤの歯数の五倍であり、回転軸Ｂが回転してプーリ軸と大ギヤを回転連動させ、大ギヤが噛合によって小歯車と回転軸Ｃとを回転連動させることを特徴とする請求項１に記載のばね式浴室おもちゃ。
【請求項４】
前記揺動部品は左右対称の空洞Ｄが含み、前記回転軸Ｃは前記空洞Ｄの中に入り、前記回転盤Ａは前記回転軸Ｃの端面にあり、前記外殻の左右端面に対称の揺動空洞が設置されており、前記揺動空洞と前記空洞Ｄの間にシュートが連結設置されており、前記スライドロッドはシュートに設置されており、前記スライドロッドの上にシーリングプレートが設置されており、前記シーリングプレートが前記揺動空洞の内壁とスライドできるように係合され、前記揺動棒の端部には板Ａが接続され、前記板Ａが板Ｂとヒンジで接続され、前記板Ａには位置制限ブロックＡと位置制限ブロックＢが設置されており、前記揺動棒が前記揺動空洞の上下壁とヒンジで接続されている；回転軸Ｃが回転盤Ａとピン軸とを回転連動させ、連結棒によって板Ａと板Ｂを揺動連動させ、揺動棒が上に向く時、板Ｂが位置制限ブロックＢのところに翻転し、水をはじいて推力が発生し、揺動棒が下に向く時板体Ｂが位置制限ブロックＡのところに翻転することを特徴とする請求項１又は請求項３に記載のばね式浴室おもちゃ。
【請求項５】
前記スピードコントロール部品は空洞Ｂの右側壁に回転できるように設置される擒縦部品Ａと擒縦部品Ｂを含み、前記回転軸Ｂに回転盤Ｂが設置されており、前記回転盤Ｂの左端面には均一に分布した五つの円形ピンが設置されており、前記擒縦部品Ａと前記空洞Ｂの間に撥条Ａが設置されており、前記擒縦部品Ｂと前記空洞Ｂの間に撥条が設置されており、回転軸Ｂが回転盤Ｂを回転連動させる時、円形ピンが擒縦部品Ａを回転連動させ、円形ピンと擒縦部品Ａとが離脱した後、擒縦部品Ｂが円形ピンを引っ掛からせ、擒縦部品Ａが復帰し、擒縦部品Ｂを突き上げ、回転盤Ｂが回転し続くことを特徴とする請求項１に記載のばね式浴室おもちゃ。
【手続補正２】
【補正対象書類名】明細書
【補正対象項目名】全文
【補正方法】変更
【補正の内容】
【発明の詳細な説明】
【技術分野】
【０００１】
本発明は浴室のおもちゃ生産分野を取り上げて、具体的にはばね式浴室おもちゃである。
【背景技術】
【０００２】
子供たちが風呂に入るとき、室のおもちゃを使って、注意をそらして入浴するのを助けることができます、入浴中使う水に浮かぶおもちゃはほとんど膨張ゴム製のおもちゃです、面白みが足りない、しばらくの注目を集めることしかできない、親が子供の入浴を手助けするには不十分です。
【先行技術文献】
【特許文献】
【０００３】
【特許文献１】中国特許出願公開第１０５２６８１９３号明細書
【発明の概要】
【発明が解決しようとする課題】
【０００４】
本発明の目的はばね式浴室おもちゃを提供し、従来技術における上述の欠点を克服するために使われた。
【課題を解決するための手段】
【０００５】
本発明に基づきの実施したばね式浴室おもちゃは、外殻を含み、前記外殻の中に五つの浮力を高める空洞が設置されており、前記外殻の中に蓄力用の撥条巻き部品が設置されており、前記撥条巻き部品が空洞Ｂと空洞Ｃを含み、前記空洞Ｃの右壁にスリーブを回転できるように取り付け、前記スリーブの左端面には空洞Ｂに入る回転軸Ａが設置されており、前記空洞Ｂの左側壁に回転軸Ｂが回転できるように設置されており、前記回転軸Ｂと回転軸Ａの間がホイールを通じてラチェットによって係合され、前記外殻の中に前記外殻の重心を平衡させる団鉱が設置されており、前記外殻の中に空洞Ａが設置されており、前記空洞Ａと空洞Ｂの間に前記回転軸Ａの回転トルクを伝達する伝動部品が設置されており、前記空洞Ａの左右両側に対称的な揺動部品が設置されており、前記揺動部品は回転盤Ａとスライドロッドを含み、前記回転盤Ａの端面にはヒンジピンが設置されており、前記スライドロッドと前記ヒンジピンの間が連結棒によって連結されており、前記スライドロッドの端部の多関節揺動棒は、前記回転盤Ａとスライドロッドを使って前記伝動部品によって伝達されるトルクを前記揺動棒の往復揺動に転化し、前記外殻を水面にスライドさせ、前記空洞Ｂの中に前記伝動部品の伝達速度をコントロールするスピードコントロール部品が設置されている。
【０００６】
更なる技術方案、前記撥条巻き部品は前記スリーブとスプラインによって係合される鍵を含み、前記空洞Ｃの右側壁には固定ピンが固定的に設置されており、前記固定ピンと前記回転軸Ａの間に鉄テープが設置されており、前記外殻の中には上方に開口したスロットが設置されており、前記スロットには摺動スリーブがスライドできるように設置されており、前記スロットの底壁に磁石Ａが設置されており、前記摺動スリーブの中には上方に開口したスプライン孔が設置されており、前記スプライン孔の底壁に磁石Ｂが設置されており、前記磁石Ｂが前記鍵と磁力によって係合され、前記鍵が前記スプライン孔とスプラインにより係合され、前記空洞Ｂの頂壁の中に固定ブロック空洞を連設し、前記固定ブロック空洞には固定ブロックが弾力によって係合され、前記固定ブロックがラチェットスリーブと噛み合うことができ、前記摺動スリーブと固定ブロックの間がギヤで連動されている。
【０００７】
更なる技術方案、前記伝動部品は前記回転軸Ｂに固定的に設置されるプーリを含み、前記空洞Ａの左右壁の間にプーリ軸と回転軸Ｃが回転できるように設置されており、前記プーリ軸と回転盤Ｂの間が伝動できるように接続され、前記プーリ軸には二つの大ギヤが設置されており、前記回転軸Ｃに二つの小ギヤが設置されており、前記小ギヤが大ギヤと噛み合い、前記大ギヤの歯数は小ギヤの歯数の五倍である。
【０００８】
更なる技術方案、前記揺動部品は左右対称の空洞Ｄが含み、前記回転軸Ｃは前記空洞Ｄの中に入り、前記回転盤Ａは前記回転軸Ｃの端面にあり、前記外殻の左右端面に対称の揺動空洞が設置されており、前記揺動空洞と前記空洞Ｄの間にシュートが連結設置されており、前記スライドロッドはシュートに設置されており、前記スライドロッドの上にシーリングプレートが設置されており、前記シーリングプレートが前記揺動空洞の内壁とスライドできるように係合され、前記揺動棒の端部には板Ａが接続され、前記板Ａが板Ｂとヒンジで接続され、前記板Ａには位置制限ブロックＡと位置制限ブロックＢが設置されており、前記揺動棒が前記揺動空洞の上下壁とヒンジで接続されている。
【０００９】
更なる技術方案、前記スピードコントロール部品は空洞Ｂの右側壁に回転できるように設置される擒縦部品Ａと擒縦部品Ｂを含み、前記回転軸Ｂに回転盤Ｂが設置されており、前記回転盤Ｂの左端面には均一に分布した五つの円形ピンが設置されており、前記擒縦部品Ａと前記空洞Ｂの間に撥条Ａが設置されており、前記擒縦部品Ｂと前記空洞Ｂの間に撥条が設置されている。
【発明の効果】
【００１０】
本発明の有益な効果は下記の通りである：
【００１１】
ポテンシャルエネルギーを蓄えると解放することができる、揺動パーツは鉄テープ３７の蓄えたポテンシャルエネルギーを揺動棒３４が揺動する動力に転換することができる、揺動棒３４の止まらず揺動は外殻１０を水面に移動させる、スピードコントロール部品９０４は鉄テープ３７の整復速度をコントロールでき、一回だけばねを巻くと、しばらく遊べる、面白みたくさん、広がる価値ある。
【図面の簡単な説明】
【００１２】
【図１】図１は本発明の全体構成模式図である；
【図２】図２は図１のＡ−Ａ方向の断面構成模式図である；
【図３】図３は図１のＢ−Ｂ方向の断面構成模式図である；
【図４】図４は図１のＣの拡大構成模式図である；
【図５】図５は図１のＤの拡大構成模式図である；
【図６】図６は図１のＥの拡大構成模式図である。
【発明を実施するための形態】
【００１３】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−６が示すように、本発明のばね式浴室おもちゃは、外殻１０を含み、前記外殻１０の中に五つの浮力を高める空洞が設置されており、前記外殻１０の中に蓄力用の撥条巻き部品９０１が設置されており、前記撥条巻き部品９０１が空洞Ｂ２１と空洞Ｃ１８を含み、前記空洞Ｃ１８の右壁にスリーブ１７を回転できるように取り付け、前記スリーブ１７の左端面には空洞Ｂ２１に入る回転軸Ａ２５が設置されており、前記空洞Ｂ２１の左側壁に回転軸Ｂ１９が回転できるように設置されており、前記回転軸Ｂ１９と回転軸Ａ２５の間がホイール２３を通じてラチェットによって係合され、前記外殻１０の中に前記外殻１０の重心を平衡させる団鉱１１が設置されており、前記外殻１０の中に空洞Ａ２６が設置されており、前記空洞Ａ２６と空洞Ｂ２１の間に前記回転軸Ａ２５の回転トルクを伝達する伝動部品９０２が設置されており、前記空洞Ａ２６の左右両側に対称的な揺動部品９０３が設置されており、前記揺動部品９０３は回転盤Ａ５２とスライドロッド５６を含み、前記回転盤Ａ５２の端面にはヒンジピン５４が設置されており、前記スライドロッド５６と前記ヒンジピン５４の間が連結棒５５によって連結されており、前記スライドロッド５６の端部の多関節揺動棒３４は、前記回転盤Ａ５２とスライドロッド５６を使って前記伝動部品９０２によって伝達されるトルクを前記揺動棒３４の往復揺動３４に転化し、前記外殻１０を水面にスライドさせ、前記空洞Ｂ２１の中に前記伝動部品９０２の伝達速度をコントロールするスピードコントロール部品９０４が設置されている。
【００１５】
有益なまた例を示すように、前記撥条巻き部品９０１は前記スリーブ１７とスプラインによって係合される鍵１６を含み、前記空洞Ｃ１８の右側壁には固定ピン２０が固定的に設置されており、前記固定ピン２０と前記回転軸Ａ２５の間に鉄テープ３７が設置されており、前記外殻１０の中には上方に開口したスロット６０が設置されており、前記スロット６０には摺動スリーブ１５がスライドできるように設置されており、前記スロット６０の底壁に磁石Ａ６１が設置されており、前記摺動スリーブ１５の中には上方に開口したスプライン孔１４が設置されており、前記スプライン孔１４の底壁に磁石Ｂ４５が設置されており、前記磁石Ｂ４５が前記鍵１６と磁力によって係合され、前記鍵１６が前記スプライン孔１４とスプラインにより係合され、前記空洞Ｂ２１の頂壁の中に固定ブロック空洞４８を連設し、前記固定ブロック空洞４８には固定ブロック４７が弾力によって係合され、前記固定ブロック４７がラチェットスリーブ２４と噛み合うことができ、前記摺動スリーブ１５と固定ブロック４７の間がギヤ４６で連動されており、鍵１６をスリーブ１７の中に差し込んで撥条巻き、ブロック４７と爪車２４とがきつく噛み合って回転軸Ａ２５をきつく固定して反転できないようにし、鍵１６をスプライン孔１４に差し込み、下へ推し、ギヤ４６を回転連動させ、ギヤ４６はブロック４７を上に移動連動させる。
【００１６】
有益なまた例を示すように、前記伝動部品９０２は前記回転軸Ｂ１９に固定的に設置されるプーリ２３を含み、前記空洞Ａ２６の左右壁の間にプーリ軸２８と回転軸Ｃ３２が回転できるように設置されており、前記プーリ軸２８と回転盤Ｂ２２の間が伝動できるように接続され、前記プーリ軸２８には二つの大ギヤ２７が設置されており、前記回転軸Ｃ３２に二つの小ギヤ３１が設置されており、前記小ギヤ３１が大ギヤ２７と噛み合い、前記大ギヤ２７の歯数は小ギヤ３１の歯数の五倍であり、回転軸Ｂ１９が回転してプーリ２３軸２８と大ギヤ２７を回転連動させ、大ギヤ２７が噛合によって小歯車３１と回転軸Ｃ３２とを回転連動させる。
【００１７】
有益なまた例を示すように、前記揺動部品９０３は左右対称の空洞Ｄ５３が含み、前記回転軸Ｃ３２は前記空洞Ｄ５３の中に入り、前記回転盤Ａ５２は前記回転軸Ｃ３２の端面にあり、前記外殻１０の左右端面に対称の揺動空洞３３が設置されており、前記揺動空洞３３と前記空洞Ｄ５３の間にシュート５８が連結設置されており、前記スライドロッド５６はシュート５８に設置されており、前記スライドロッド５６の上にシーリングプレート５７が設置されており、前記シーリングプレート５７が前記揺動空洞３３の内壁とスライドできるように係合され、前記揺動棒３４の端部には板Ａ３５が接続され、前記板Ａ３５が板Ｂ３６とヒンジで接続され、前記板Ａ３５には位置制限ブロックＡ５０と位置制限ブロックＢ５１が設置されており、前記揺動棒３４が前記揺動空洞３３の上下壁とヒンジで接続されている；回転軸Ｃ３２が回転盤Ａ５２とピン軸５４とを回転連動させ、連結棒５５によって板Ａ３５と板Ｂ３６を揺動連動させ、揺動棒３４が上に向く時、板Ｂ３６が位置制限ブロックＢ５１のところに翻転し、水をはじいて推力が発生し、揺動棒３４が下に向く時板体Ｂ３６が位置制限ブロックＡ５０のところに翻転し、水流の妨害力を減少させ、外殻１０を移動連動させる。
【００１８】
有益なまた例を示すように、前記スピードコントロール部品９０４は空洞Ｂ２１の右側壁に回転できるように設置される擒縦部品Ａ４０と擒縦部品Ｂ４２を含み、前記回転軸Ｂ１９に回転盤Ｂ２２が設置されており、前記回転盤Ｂ２２の左端面には均一に分布した五つの円形ピン３８が設置されており、前記擒縦部品Ａ４０と前記空洞Ｂ２１の間に撥条Ａ４１が設置されており、前記擒縦部品Ｂ４２と前記空洞Ｂ２１の間に撥条が設置されており、回転軸Ｂ１９が回転盤Ｂ２２を回転連動させる時、円形ピン３８が擒縦部品Ａ４０を回転連動させ、円形ピン３８と擒縦部品Ａ４０とが離脱した後、擒縦部品Ｂ４２が円形ピン３８を引っ掛からせ、擒縦部品Ａ４０が復帰し、擒縦部品Ｂ４２を突き上げ、回転盤Ｂ２２が回転し続く。
【００１９】
使用するときに、鍵１６をスリーブ１７の中に差し込み、鍵１６を回して回転軸Ａ２５を回転連動させ、撥条を巻き始め、固定ブロック４７とラチェットスリーブ２４が噛み合って回転軸Ａ２５を反転できないように固定し、鍵１６をスプライン穴１４の中に差し込み下へ推し、磁石Ｂ４５が鍵１６を吸い寄せ、磁石Ａ６１が摺動スリーブ１５を吸い寄せ、摺動スリーブ１５が噛み合いでギヤ４６を回転連動させ、ギヤ４６が噛み合いで固定ブロック４７を上へ移動連動させ、ラチェットスリーブ２４が鉄テープ３７の作用で回転し、回転軸Ｂ１９が回転盤Ｂ２２と、プーリ軸２８と大ギヤ２７とを回転連動させ、円形ピン３８が擒縦部品Ａ４０を動かして回転させ、円形ピン３８が擒縦部品Ａ４０から離脱した後、擒縦部品Ｂ４２が撥条Ｂ４３の作用で円形ピン３８を固定し、撥条Ａ４１が擒縦部品Ａ４０を復元させ、擒縦部品Ｂ４２を突き上げ、回転盤Ｂ２２が回転し続き、大ギヤ２７が噛合で小ギヤ３１と回転軸Ｃ３２を回転連動させ、回転盤Ａ５２とヒンジピン５４を回転連動させ、連結棒５５でスライドロッド５６を上下に移動連動させ、スライドロッド５６が揺動棒３４を揺動連動させ、揺動棒３４が板Ａ３５と板Ｂ３６を揺動連動させ、揺動棒３４が上に向くとき、板Ｂ３６が位置制限ブロックＢ５１のところに回転し、水を掻き動かし、推力を発生させ、揺動棒３４が下に向く時に板Ｂ３６が位置制限ブロックＡ５０のところに回転し、水流の抵抗力を減少させ、外殻１０を移動連動させる。
【００２０】
本発明は：鍵によって力を蓄えることとポテンシャルエネルギーを解放することができ、揺動部品が鉄テープの蓄えたポテンシャルエネルギーを揺動棒の揺動する動力に転換することができ、揺動棒の止まらぬ揺動によって外殻を水中に移動連動させることができ、スピードコントロール部品によって鉄テープ３７の復帰速度をコントロールでき、一回だけ撥条を巻くと、しばらく遊べ、面白みがたくさんあり、宣伝価値がある。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。